(57)【要約】【課題】患者の状態を適切に判定する判定システム及び判定プログラムを提供すること。【解決手段】実施形態に係る判定システムは、取得部と、判定部と、出力部とを有する。取得部は、患者の健康状態に関する情報を取得する。判定部は、前記患者に応じて設定された判定基準を用いて、前記患者の健康状態に関する情報に対する判定を行う。出力部は、前記判定における判定結果を出力する。【選択図】図１
2020178880.tif 000002
【特許請求の範囲】
【請求項１】
患者の健康状態に関する情報を取得する取得部と、
前記患者に応じて設定された判定基準を用いて、前記患者の健康状態に関する情報に対する判定を行う判定部と、
前記判定における判定結果を出力する出力部と、
を備える判定システム。
【請求項２】
患者ごとに調整された、前記健康状態に関する判定基準の登録を受け付ける受付部をさらに備え、
前記判定部は、登録を受け付けた前記健康状態に関する判定基準を用いて、前記患者の健康状態に関する情報に対する判定を行う、請求項１に記載の判定システム。
【請求項３】
前記出力部は、取得した前記患者の健康状態に関する情報、及び前記判定結果を医師の端末に出力し、
前記受付部は、前記判定結果に対する前記医師による入力内容を前記医師の端末から取得し、
前記出力部は、前記医師による入力内容を、前記患者の端末に送信する、請求項２に記載の判定システム。
【請求項４】
取得した過去の前記患者の健康状態に関する情報を用いて、前記患者に対応する健康状態に関する判定基準を調整する調整部をさらに備える、請求項１乃至３のいずれか１つに記載の判定システム。
【請求項５】
前記取得部は、前記患者の健康状態に関する情報として、前記患者の既往症に関する情報と、前記患者の健康状態に関する測定値とを取得し、
前記患者の既往症に関する情報に基づいて、前記患者の健康状態に関する測定値に対応する判定基準を調整する調整部をさらに備える、請求項１乃至３のいずれか１つに記載の判定システム。
【請求項６】
前記取得部は、前記患者の病院への来院頻度に関する情報、及び前記患者の来院時における健康状態に関する情報のうち、少なくともいずれかを取得し、
前記出力部は、前記患者の病院への来院頻度に関する情報、及び前記患者の来院時における健康状態に関する情報のうち少なくともいずれかに応じた情報をさらに出力する、請求項１乃至５のいずれか１つに記載の判定システム。
【請求項７】
患者の健康状態に関する情報を取得し、
前記患者に応じて設定された判定基準を用いて、前記患者の健康状態に関する情報に対する判定を行い、
前記判定における判定結果を出力する、
各処理をコンピュータに実行させる、判定プログラム。
【発明の詳細な説明】
【技術分野】
【０００１】
本発明の実施形態は、判定システム及び判定プログラムに関する。
【背景技術】
【０００２】
医療機関等において、院外で経過観察中の患者等の状態を把握し、また患者等の状態に応じた措置を指示することを支援する技術が知られている。例えば、病気や症状に応じた確認項目からなる質問を生成して患者に問い合わせを行い、問い合わせに対する患者からの回答に基づいて電子カルテを自動更新する技術が知られている。また、患者の検査データの自己最良値等に基づく予測データと、実際の臨床検査データとを比較解析することにより、患者の病態を評価する技術も知られている。さらに、医療機関において特定された疾患情報に関する治療方針情報を患者の端末に送信し、患者が治療方針情報に対して受診を希望するか否かを示す情報を受信する技術も知られている。
【０００３】
ところで、患者の健康状態と、診察の必要性との関係には個人差があり、測定値が同じであっても、患者によって診察が必要か否かが異なる場合がある。
【先行技術文献】
【特許文献】
【０００４】
【特許文献１】特開２００８−２９３２９４号公報
【特許文献２】特開２００３−３４５９０５号公報
【特許文献３】特開２００２−１８３３１２号公報
【発明の概要】
【発明が解決しようとする課題】
【０００５】
本発明が解決しようとする課題は、患者の状態を適切に判定することである。
【課題を解決するための手段】
【０００６】
実施形態に係る判定システムは、取得部と、判定部と、出力部とを有する。取得部は、患者の健康状態に関する情報を取得する。判定部は、前記患者に応じて設定された判定基準を用いて、前記患者の健康状態に関する情報に対する判定を行う。出力部は、前記判定における判定結果を出力する。
【図面の簡単な説明】
【０００７】
【図１】図１は、第１の実施形態に係る判定システムの構成の一例を示す図である。
【図２】図２は、第１の実施形態に係る患者端末における入力画面の一例を示す図である。
【図３】図３は、第１の実施形態に係る患者情報の一例を示す図である。
【図４】図４は、第１の実施形態に係る基準値テーブルの一例を示す図である。
【図５】図５は、第１の実施形態に係る判定テーブルの一例を示す図である。
【図６】図６は、第１の実施形態に係るメッセージテーブルの一例を示す図である。
【図７】図７は、第１の実施形態に係る調整テーブルの一例を示す図である。
【図８】図８は、第１の実施形態に係る結果表示画面の一例を示す図である。
【図９】図９は、第１の実施形態に係る結果表示画面の別の一例を示す図である。
【図１０】図１０は、第１の実施形態に係る判定処理の一例を示すフローチャートである。
【図１１】図１１は、変形例に係る条件受付画面の一例を示す図である。
【図１２】図１２は、変形例に係る確認画面の一例を示す図である。
【図１３】図１３は、変形例に係る判定テーブルの一例を示す図である。
【図１４】図１４は、変形例に係る調整テーブルの一例を示す図である。
【発明を実施するための形態】
【０００８】
以下に図面を参照して、判定システム及び判定プログラムの実施形態について詳細に説明する。なお、実施形態は、以下の内容に限られるものではない。また、１つの実施形態や変形例に記載された内容は、原則として他の実施形態や変形例にも同様に適用される。
【０００９】
（第１の実施形態）
患者の健康状態に応じて来院を促す等のメッセージを出力する場合、測定値が同じであっても、直ちに来院を求める方が望ましいことや、しばらく様子を見ればよい場合など、患者によって取るべき方針が異なる場合がある。例えば、最高血圧が「１４５」であっても、通常の最高血圧が「１３５」である患者と「１０５」である患者とでは、後者の方が異常がある可能性が高い。そこで、本実施例においては、判定の基準となる判定条件や基準値を、画一的ではなく患者ごとに登録する構成について説明する。また、同一の患者であっても、長期の経過観察中において健康状態が変化する場合、例えば通常時の最高血圧が次第に上昇してくる場合があるので、患者の健康状態の変化に応じて、判定基準を調整する構成についても説明する。
【００１０】
図１は、第１の実施形態に係る判定システムの構成の一例を示す図である。図１に示すように、判定システム１は、判定装置１０と、患者端末２０と、医師端末３０とを備える。判定装置１０と、患者端末２０と、医師端末３０とは、例えばインターネット等のネットワークＮＷにより相互に通信可能な状態となっている。なお、以下において、患者端末２０及び医師端末３０を区別せずに表現する場合に、単に「端末等」と表記する場合がある。
【００１１】
なお、図１においては、１台の患者端末２０及び１台の医師端末３０を示しているが、各端末の台数は任意であり、例えば複数の端末等がネットワークＮＷを介して判定装置１０に接続されていてもよい。また、判定装置１０は、ネットワークＮＷを通じて、電子カルテシステム（不図示）等の病院におけるその他のシステムに含まれる各サーバ装置（不図示）などと直接的、又は、間接的に、相互に通信可能に接続されている。なお、判定装置１０は、例えば病院に設置されているが、端末等に加えて、患者が通う他の診療所の所内システム等と通信可能に接続されていてもよい。
【００１２】
判定装置１０は、患者端末２０等から、患者の健康状態に関する情報を取得し、患者の健康状態を判定する。判定装置１０は、判定結果を、患者端末２０及び医師端末３０に出力する。判定装置の構成については、後に詳しく説明する。なお、以下において、患者の健康状態に関する情報を、単に「状態情報」と表記する場合がある。
【００１３】
患者端末２０は、例えば患者（不図示）や患者の家族（不図示）により操作される端末である。患者端末２０は、状態情報の入力を受け付け、判定装置１０に送信する。また、患者端末２０は、判定装置１０から判定結果を受信して表示する。図１に示すように、患者端末２０は、通信Ｉ／Ｆ２１と、入力Ｉ／Ｆ２２と、ディスプレイ２３と、記憶回路２４と、処理回路２５とを備えており、通信Ｉ／Ｆ２１、入力Ｉ／Ｆ２２、ディスプレイ２３、記憶回路２４及び処理回路２５はバスを介して接続されている。なお、患者端末２０は、例えば通信機能を有する既存のスマートフォンに、状態情報の入力を受け付ける機能及び判定結果を受信して表示する機能を有するアプリケーションをインストールすることにより実現される。
【００１４】
患者端末２０は、例えば図２に示すような入力画面を表示させる。図２は、第１の実施形態に係る患者端末における入力画面の一例を示す図である。患者端末２０は、例えば、図２に示すような画面において、症状に関するチェックボックスの選択を受け付けることにより、状態情報を取得する。例えば、図２は、患者端末２０が、患者から、「めまいがする」という健康状態の選択を受け付けた場合の画面例を示す。また、患者端末２０は、例えば、持続血糖測定器（Continuous  Glucose  Monitoring）やウェアラブル血圧計等の公知の測定機器から、測定値を随時取得する。例えば、図２は、患者端末２０が、測定機器から、血圧「１４５／９０」及び血糖値「１１９」という測定値を取得した場合の画面例を示す。
【００１５】
医師端末３０は、例えば病院の医師（不図示）により操作される端末である。医師端末３０は、判定装置１０から状態情報等を受信して表示する。また、医師端末３０は、判定装置１０から判定結果を受信して表示する。なお、医師端末３０は、例えば患者端末２０と同様の機能を備えるスマートフォン等により実現される。また、以下において、病院の医師を「担当医」と表記する場合がある。
【００１６】
次に、判定装置１０の構成及び機能について説明する。図１に示すように、判定装置１０は、通信Ｉ／Ｆ１１と、入力Ｉ／Ｆ１２と、ディスプレイ１３と、記憶回路１４と、処理回路１５とを備えており、通信Ｉ／Ｆ１１、入力Ｉ／Ｆ１２、ディスプレイ１３、記憶回路１４及び処理回路１５はバスを介して接続されている。判定装置１０は、システムの規模により１台〜複数台のコンピュータ装置から構成される。
【００１７】
通信Ｉ／Ｆ１１は、処理回路１５に接続され、ネットワークＮＷを介して接続された患者端末２０及び医師端末３０との間で行われる各種データの伝送及び通信を制御する。例えば、通信Ｉ／Ｆ１１は、ネットワークカードやネットワークアダプタ、ＮＩＣ（Network  Interface  Controller）等によって実現される。
【００１８】
入力Ｉ／Ｆ１２は、処理回路１５に接続され、判定装置１０の管理者（不図示）から受け付けた入力操作を電気信号に変換して処理回路１５に出力する。例えば、入力Ｉ／Ｆ１２は、スイッチボタン、マウス、キーボード、タッチパネル等である。
【００１９】
ディスプレイ１３は、処理回路１５に接続され、処理回路１５から出力される各種情報及び各種画像データを表示する。例えば、ディスプレイ１３は、液晶モニタやＣＲＴ（Cathode  Ray  Tube）モニタ、タッチパネル等によって実現される。
【００２０】
記憶回路１４は、処理回路１５に接続され、各種データを記憶する。例えば、記憶回路１４は、ＲＡＭ（Random  Access  Memory）、フラッシュメモリ等の半導体メモリ素子や、ハードディスク、光ディスク等によって実現される。本実施形態では、記憶回路１４は、例えば、図１に示すように、患者情報１４１と、基準値テーブル１４２と、判定テーブル１４３と、メッセージテーブル１４４と、調整テーブル１４５とを記憶する。
【００２１】
患者情報１４１は、状態情報を含む情報である。ここで、患者情報１４１は、例えば後に説明する取得機能１５１により入力される。また、患者情報１４１は、例えば一人の患者ごとに一つのテーブルを保持する。
【００２２】
図３は、第１の実施形態に係る患者情報の一例を示す図である。図３に示すように、例えば、患者情報１４１は、情報の項目や種別を示す「項目種別」と、当該情報が取得された日時や期間を示す「日時」と、当該情報の内容を示す「内容」とを対応付けた情報である。図３において、患者ＩＤは、患者を一意に識別する識別子（Identifier）を示す。例えば、図３は、患者ＩＤ「Ｘ００２」の患者について、「２０１９年２月２３日の１１時００分」に取得された血糖値が「１１９」であり、血圧が「１４５／９０」である情報を示す。また、図３は、例えば、「２０１９年１月２３日〜２月２２日」の１か月間における患者の最高血圧の平均値が「１３７」であり、当該期間における血糖値の最高値が「９８」であることを示す。さらに、図３は、担当医以外の医師、例えば、担当医が所属する病院以外のクリニックの医師から、患者について、「２０１９年１月１１日の１１時１０分」に、「血圧が高めです。適度な運動を心掛けてください。」という所見があったことを示す。
【００２３】
基準値テーブル１４２は、患者の健康状態を判定する際に用いられる基準値を記憶する。ここで、基準値テーブル１４２は、例えば後に説明する受付機能１５５により入力される。また、基準値テーブル１４２は、例えば一人の患者ごとに一つのテーブルを保持する。
【００２４】
図４は、第１の実施形態に係る基準値テーブルの一例を示す図である。図４に示すように、基準値テーブル１４２は、各項目と当該項目の基準値とを対応付けて記憶する。例えば、図４に示す基準値テーブル１４２は、患者ＩＤ「Ｘ００２」の患者に対応する「最高血圧」の基準値は「１４０」であり、「血糖値の基準値は「１３０」であることを示す。なお、基準値は一例であり、最低血圧や体温等のその他の測定値であってもよい。また、基準値の代わりに「ろれつが回らない」等の症状の有無といった、定量的ではない情報が用いられてもよい。
【００２５】
判定テーブル１４３は、測定値と基準値との関係に基づき、判定結果である判定ランクを特定するための基準を記憶する。なお、以下において、「判定ランク」を、単に「ランク」と表記する場合がある。また、以下において、判定ランクを特定するための基準と、基準値とをあわせて「判定基準」と表記する場合がある。
【００２６】
図５は、第１の実施形態に係る判定テーブルの一例を示す図である。図５に示す判定テーブル１４３は、例えば、測定値が「基準値未満」である場合、ランクは「０」であることを記憶する。また、図５に示す判定テーブル１４３において、測定値と基準値との割合が上昇するごとにランクも上昇する。例えば、測定値が「基準値＋２０％以上」である場合、ランクは「４」となる。なお、図５に示す判定テーブル１４３は、例えば、図４に示す「最高血圧」や「血糖値」など、複数の基準値に対して共通して適用される。
【００２７】
メッセージテーブル１４４は、端末等に出力するメッセージを、例えばランクと対応付けて記憶する。メッセージテーブル１４４に記憶される情報は、例えば予め管理者により登録され、又は後に説明する受付機能１５５により入力される。なお、メッセージテーブル１４４についても、例えば一人の患者ごとに一つのテーブルを保持するような構成であってもよい。
【００２８】
図６は、第１の実施形態に係るメッセージテーブルの一例を示す図である。図６に示すように、メッセージテーブル１４４は、「ランク」又は「ＩＤ」と、「メッセージ」と、「備考」とを対応付けて記憶する。図６に示すメッセージテーブル１４４において、「０」乃至「５以上」は、当該ランクに対応するメッセージを示す。例えば、図６に示すメッセージテーブル１４４は、判定結果であるランクが「０」である場合、端末等にメッセージが出力されないことを記憶する。また、例えば、図６に示すメッセージテーブル１４４は、判定結果であるランクが「５以上」である場合、「救急車を呼んでください」というメッセージが出力されることを記憶する。
【００２９】
また、図６において、「Ａ００１」、「Ｂ００１」及び「Ｃ００１」は、例えば受付機能１５５を介して医師により登録されたメッセージを一意に識別するメッセージＩＤである。例えば、メッセージＩＤが「Ａ００１」であるメッセージは、「すぐに●●剤を服用してください」であることが図６に示すメッセージテーブル１４４に記憶されている。なお、図６に示すように、本実施形態においては、医師により登録されたメッセージについては、「ランク／ＩＤ」の項目にメッセージＩＤが記憶されるとともに、「備考」の項目に「医師設定メッセージ」であることが記憶される。
【００３０】
調整テーブル１４５は、判定基準を変更するための条件に関する情報を記憶する。なお、調整テーブル１４５についても、例えば一人の患者ごとに一つのテーブルを保持するような構成であってもよい。また、以下において、判定基準を変更するための条件を「調整条件」と表記する場合がある。
【００３１】
図７は、第１の実施形態に係る調整テーブルの一例を示す図である。図７に示すように、調整テーブル１４５は、例えば、調整条件の対象となる「項目」と、調整条件を満たすか否かを判定するための基準となる「測定結果」と、調整条件を満たす場合における判定基準を変更する内容である「調整内容」とを対応付けた情報である。
【００３２】
図７において、例えば、「最高血圧」は、直近１ヶ月の平均が「１００未満」である場合、図４に示す「最高血圧」の基準値が「−２０」となる。この場合、図４に示す「最高血圧」の基準値「１４０」が「１２０」に調整される。同様に、図７において、例えば、直近１ヶ月の「最高血圧」の平均が「１００以上１１０未満」である場合、図４に示す「最高血圧」の基準値が「−１０」となり、「１４０以上」である場合「＋２０」となる。
【００３３】
また、図７において、例えば、「血糖値」は、直近１ヶ月での最高値が「１００未満」である場合、図４に示す「血糖値」の基準値に「０．９」を乗じる。この場合、図４に示す「血糖値」の基準値「１２０」が「１０８」に調整される。同様に、図７において、例えば、直近１ヶ月の「血糖値」の最高値が「２００以上」である場合、図４に示す「最高血圧」の基準値に「１．２」を乗じる。
【００３４】
また、図７に示すように、例えば、図２に示すような入力画面において、「めまいがする」チェックボックスが選択された場合、判定ランクに「２」が加えられる。例えば、判定ランクが「１」であった場合、当該判定ランクが「３」に調整される。さらに、「めまいがする」チェックボックスが選択された場合において、「血糖値」の測定結果が「１２０以上」である場合、図４に示す「最高血圧」の基準値から「２０」が差し引かれる。このように、調整テーブル１４５は、複数の項目の組み合わせに基づいて、判定基準を調整するか否かを決定するような調整条件を記憶してもよい。また、調整テーブル１４５は、「項目」に対応する判定基準に対する調整内容を記憶してもよく、また「項目」とは異なる判定基準に対する調整内容を記憶してもよい。
【００３５】
さらに、調整テーブル１４５は、例えば図３に示すような患者情報１４１において、患者の既往症として「脳卒中」が登録されている場合、図４に示す「最高血圧」の基準値から「２０」が差し引かれることを記憶する。
【００３６】
図１に戻って、処理回路１５は、取得機能１５１と、調整機能１５２と、判定機能１５３と、出力機能１５４と、受付機能１５５とを実行する。ここで、取得機能１５１は、取得部の一例である。調整機能１５２は、調整部の一例である。判定機能１５３は、判定部の一例である。出力機能１５４は、出力部の一例である。また、受付機能１５５は、受付部の一例である。ここで、例えば、図１に示す処理回路１５の構成要素である取得機能１５１、調整機能１５２、判定機能１５３、出力機能１５４及び受付機能１５５の各処理機能は、コンピュータによって実行可能なプログラムの形態で記憶回路１４に記録されている。処理回路１５は、各プログラムを記憶回路１４から読み出し、読み出した各プログラムを実行することで各プログラムに対応する機能を実現する。換言すると、各プログラムを読み出した状態の処理回路１５は、図１の処理回路１５内に示された各機能を有することとなる。
【００３７】
なお、取得機能１５１、調整機能１５２、判定機能１５３、出力機能１５４及び受付機能１５５の全ての処理機能がコンピュータによって実行可能な１つのプログラムの形態で、記憶回路１４に記録されていてもよい。例えば、このようなプログラムは、接遇ガイドプログラムとも称される。この場合、処理回路１５は、接遇ガイドプログラムを記憶回路１４から読み出し、読み出した接遇ガイドプログラムを実行することで接遇ガイドプログラムに対応する取得機能１５１、調整機能１５２、判定機能１５３、出力機能１５４及び受付機能１５５を実現する。
【００３８】
処理回路１５における取得機能１５１は、状態情報を取得する。例えば、取得機能１５１は、通信Ｉ／Ｆ２１を介して、患者端末２０において患者により入力された情報や、患者端末２０が他の測定機器から取得した情報を受信し、取得した情報を患者情報１４１に格納する。例えば、取得機能１５１は、患者の血圧や血糖値に関する情報を取得した場合、直近１ヶ月の血糖値の最高値や、平均最高血圧を算出し、患者情報１４１に格納してもよい。なお、取得機能１５１は、例えば、判定装置１０が患者が通う他の診療所の所内システム等と通信可能に接続されている場合、当該所内システムから患者の所見に関する情報を取得してもよい。
【００３９】
調整機能１５２は、状態情報等に基づいて、判定基準を調整する。例えば、調整機能１５２は、患者情報１４１から状態情報を取得し、調整テーブル１４５に記憶された調整条件と合致するか否かを判定する。調整機能１５２は、状態情報が調整条件と合致すると判定した場合、基準値テーブル１４２又は判定テーブル１４３に記憶された判定条件を更新する。
【００４０】
例えば、調整機能１５２は、図３に示すように、直近の最高血糖値が「９８」である場合、調整テーブル１４５を参照し、図４に示す「血糖値」の基準値「１２０」に「０．９」を乗じて「１０８」に更新する。また、調整機能１５２は、患者端末２０において「めまいがする」チェックボックスが選択された場合、調整テーブル１４５を参照し、図５に示す判定テーブル１４３により特定されるランクを「２」加算する。
【００４１】
判定機能１５３は、判定基準に基づいて、状態情報を判定し、判定結果を出力機能１５４に出力する。例えば、判定機能１５３は、図３に示すように、最新の最高血圧が「１４５」である場合、基準値「１４０」から「＋１０％」未満であるので、図５に示すランクは「１」であると判定する。
【００４２】
出力機能１５４は、判定結果に基づいて、メッセージ等を出力する。出力機能１５４は、例えば、図５に示すランクに対応するメッセージを、図６に示すメッセージテーブル１４４から抽出し、通信Ｉ／Ｆ１１を介して医師端末３０に送信する。例えば、出力機能１５４は、判定されたランクが「２」である場合、「生活習慣を見直してください」というメッセージを出力するとともに、メッセージＩＤ：Ｂ００１の「一日8000歩以上歩くようにしてください」というメッセージも合わせて出力する。
【００４３】
受付機能１５５は、医師による判定基準の設定や、メッセージの登録を受け付ける。具体的には、受付機能１５５は、図４に示すような測定値に対する基準値や、図５に示すような基準値に対する判定条件、図６に示すような「医師設定メッセージ」の登録を、通信Ｉ／Ｆ１１を通じて医師端末３０等から受け付け、基準値テーブル１４２又は判定テーブル１４３に格納する。また、受付機能１５５は、図６に示すような「医師設定メッセージ」の登録を受け付け、メッセージＩＤを付与してメッセージテーブル１４４に格納する。
【００４４】
次に、第１の実施形態に係る出力例について、図８及び図９を用いて説明する。図８は、第１の実施形態に係る結果表示画面の一例を示す図である。図９は、第１の実施形態に係る結果表示画面の別の一例を示す図である。なお、図８及び図９に示す結果表示画面は、例えば患者端末２０に表示されるが、医師端末３０にも同様の画面が表示されるような構成であってもよい。
【００４５】
図８に示す結果表示画面は、例えば、図２に示すような入力画面における、「血糖値」に関する判定結果の一例である。この場合、調整機能１５２は、図３に示す「直近１ヶ月の最高血糖値」が「９８」であるため、調整テーブル１４５を参照し、図４に示す「血糖値」の基準値「１２０」に「０．９」を乗じて「１０８」に更新する。そして、判定機能１５３は、最新の血糖値「１１９」が、更新後の血糖値の基準値「１０８」＋「１０％以上２０％未満」であるため、ランクは「２」であると判定する。そして、出力機能１５４は、ランク「２」に対応するメッセージ「生活習慣を見直してください」及び「一日8000歩以上歩くようにしてください」を出力する。
【００４６】
図９に示す結果表示画面は、例えば、図２に示すような入力画面における、「最高血圧」に関する判定結果の一例である。この場合、調整機能１５２は、「めまいがする」チェックボックスが選択されているため、血圧の判定ランクに「２」を加算する。なお、調整機能１５２は、図３に示す「直近１ヶ月の平均の最高血圧」が「１３７」であり、かつ「血糖値」が「１２０未満」であるため、血圧の基準値の調整条件には該当しないと判定する。そして、判定機能１５３は、最新の最高血圧「１４５」が「基準値＋１０％未満」であり、かつ血圧の判定ランクに「３」が加算されるよう調整されていることから、調整後の判定ランクが「３」であると判定する。そして、出力機能１５４は、ランク「３」に対応するメッセージ「かかりつけのクリニックで診察を受けてください」を出力する。
【００４７】
次に、判定装置１０による処理の流れについて説明する。図１０は、第１の実施形態に係る判定処理の一例を示すフローチャートである。ここで、図１０におけるステップＳ１００、Ｓ１１０、Ｓ１１１及びＳ１９０は、例えば、処理回路１５が取得機能１５１に対応するプログラムを記憶回路１４から読み出して実行することにより実現される。また、ステップＳ１２０及びＳ１２１は、例えば、処理回路１５が調整機能１５２に対応するプログラムを記憶回路１４から読み出して実行することにより実現される。また、ステップＳ１０１及びＳ１３０は、例えば、処理回路１５が判定機能１５３に対応するプログラムを記憶回路１４から読み出して実行することにより実現される。また、ステップＳ１３１は、例えば、処理回路１５が出力機能１５４に対応するプログラムを記憶回路１４から読み出して実行することにより実現される。
【００４８】
例えば、図１０に示すように、本実施形態に係る判定システム１では、まず、処理回路１５は、患者に対する判定処理の開始指示を受け付けたか否かを判定する（ステップＳ１００）。処理回路１５は、判定処理の開始指示を受け付けた場合（ステップＳ１００肯定）、基準値テーブル１４２及び判定テーブル１４３から、当該患者に対応する判定基準を抽出し（ステップＳ１０１）、ステップＳ１１０に移行する。なお、処理回路１５は、判定処理の開始指示を受け付けるまで（ステップＳ１００否定）、ステップＳ１０１以降の処理を開始せず、判定処理は待機状態である。
【００４９】
続いて、処理回路１５は、状態情報を取得したか否かを判定する（ステップＳ１１０）。処理回路１５は、状態情報を取得した場合（ステップＳ１１０肯定）、取得した状態情報を患者情報１４１に格納し（ステップＳ１１１）、ステップＳ１２０に移行する。なお、処理回路１５は、状態情報を取得するまで（ステップＳ１１０否定）、ステップＳ１２０以降の処理に移行せず、判定処理は待機状態である。
【００５０】
次に、処理回路１５は、取得した状態情報が、調整テーブル１４５に記憶された調整条件に合致するか否かを判定する（ステップＳ１２０）。処理回路１５は、調整条件に合致しないと判定した場合（ステップＳ１２０否定）、ステップＳ１３０に移行する。
【００５１】
一方、処理回路１５は、調整条件に合致すると判定すると（ステップＳ１２０肯定）、判定条件を更新し（ステップＳ１２１）、ステップＳ１３０に移行する。
【００５２】
次に、処理回路１５は、取得した状態情報が、判定基準に合致するか否かを判定する（ステップＳ１３０）。処理回路１５は、判定基準に合致しないと判定した場合（ステップＳ１３０否定）、ステップＳ１９０に移行する。
【００５３】
一方、処理回路１５は、判定基準に合致すると判定すると（ステップＳ１３０肯定）、対応するメッセージを出力し（ステップＳ１３１）、ステップＳ１９０に移行する。
【００５４】
そして、処理回路１５は、終了指示を受け付けたか否かを判定する（ステップＳ１９０）。処理回路１５は、終了指示を受け付けていないと判定した場合（ステップＳ１９０否定）、ステップＳ１１０に移行し、処理を繰り返す。一方、処理回路１５は、終了指示を受け付けたと判定した場合（ステップＳ１９０肯定）、処理を終了する。
【００５５】
上述したように、第１の実施形態に係る判定システム１は、患者の状態を適切に判定することができる。
【００５６】
（変形例）
第１の実施形態において、受付機能１５５が、患者ごとの判定基準、及び出力するメッセージの登録を受け付ける構成について説明したが、実施の形態はこれに限られない。例えば、受付機能１５５は、判定基準の調整条件の登録を受け付けるような構成であってもよい。図１１は、変形例に係る条件受付画面の一例を示す図である。図１１に示す条件受付画面３００は、「項目」、「条件」、「対応」及び「内容」の入力又は選択を受け付ける欄を含む。条件受付画面３００において、「項目」及び「条件」は、調整条件となる項目及び条件の入力又は選択を受け付ける欄である。また、条件受付画面３００において、「対応」及び「内容」は、調整条件に合致した場合における、判定基準の変更内容に関する入力又は選択を受け付ける欄である。かかる構成によれば、判定条件を調整する条件の入力を受け付けることができる。
【００５７】
また、第１の実施形態においては、判定装置１０が、判定基準に合致した場合にメッセージを出力する構成について説明したが、実施の形態はこれに限られない。例えば、判定装置１０は、判定基準に合致する旨を医師端末３０に通知し、医師端末３０による応答を待ってから患者端末２０にメッセージを出力するような構成であってもよい。図１２は、変形例に係る確認画面の一例を示す図である。図１２に示す確認画面４００は、例えば医師端末３０に表示される。
【００５８】
図１２に示すように、確認画面４００は、患者に関する情報として、血圧や血糖値、症状等の状態情報と、状態情報が取得された日時とを含む。また、確認画面４００は、当該患者に出力されるメッセージの候補を含むドロップダウンメニュー４０１をさらに含む。医師端末３０は、確認画面４００において、ドロップダウンメニュー４０１における医師によるメッセージの選択を受け付けると、選択されたメッセージに関する情報を判定装置１０に送信する。なお、医師端末３０は、確認画面４００において、ドロップダウンメニュー４０１に含まれない新たなメッセージの入力を受け付けてもよい。かかる構成によれば、医師は、患者の状態に即したメッセージを選択して送信させることができる。
【００５９】
なお、第１の実施形態では、判定テーブル１４３が、図５に示すように、最高血圧や血糖値などの複数の測定値に共通して用いられ、かつ基準値テーブル１４２に登録された基準値との比較に用いられる構成について説明したが、実施の形態はこれに限られない。例えば、判定テーブル１４３が体温等の個別の測定値ごとに設けられる構成であってもよい。また、判定テーブル１４３が、図５に示すような基準値に対する差分や割合の代わりに、測定値の範囲と判定結果との組み合わせを記憶するような構成であってもよい。図１３は、変形例に係る判定テーブルの一例を示す図である。図１３に示す判定テーブル１４３ａは、例えば、「体温」の測定結果と、各測定結果に対応する「ランク」とを対応付けて記憶する。例えば、測定結果が「体温３７度未満」である場合はランク「０」であり、その後体温１度ごとにランクが上昇し、「体温４１度以上」でランクは最高の「７」となる。かかる変形例においては、判定装置１０が基準値テーブル１４２を備えないような構成であってもよい。
【００６０】
また、例えば体温の測定結果がランク４以上になるなど、測定値において異常が認められる場合であっても、緊急の対応が必要ではないことも考えられる。例えば、患者が手術を受けてから間もない場合は、後遺症として発熱することが知られている。また、インフルエンザや熱中症など、発熱の原因が明らかである場合、病院に来るよりも、それぞれの原因に応じた対応を促すことが効果的である場合もある。そこで、調整テーブル１４５が、測定結果の原因に応じた調整条件をさらに含み、調整機能１５２が、測定結果の原因に応じて判定基準を調整するような構成であってもよい。
【００６１】
図１４は、変形例に係る調整テーブルの一例を示す図である。図１４に示すように、変形例における調整テーブル１４５ａは、図７に示す調整テーブル１４５に示す調整条件に関する各レコードに加えて、例えば、「発熱」の原因に関する調整条件に関する３つのレコードが追加されている。
【００６２】
例えば、図１４に示す調整テーブル１４５ａは、「インフルエンザ」が「陽性」である場合、「体温」のランクを「３」に設定することを示す。この場合において、変形例における判定機能１５３ａは、例えば、患者の体温が「３９．２度」である場合であっても、図１３に示す判定テーブル１４３ａにおいて、体温「３９〜４０度」に対応するランク「４」ではなく、ランク「３」を判定結果とする。すなわち、この場合における出力機能１５４ａは、図６に示すメッセージテーブル１４４に記憶されたランク「４」に対応するメッセージではなく、ランク「３」に対応するメッセージ「かかりつけのクリニックで診察を受けてください」を出力する。
【００６３】
また、例えば、図１４に示す調整テーブル１４５ａは、「手術後の期間」が「３０日以内」である場合、「体温」のランクを「−１」することを示す。この場合において、変形例における判定機能１５３ａは、例えば、患者の体温が「３７．８度」である場合、図１３に示す判定テーブル１４３ａにおいて、体温「３７〜３８度」に対応するランク「３」から２つ下げたランク「１」を判定結果とする。すなわち、この場合における出力機能１５４ａは、図６に示すメッセージテーブル１４４に記憶されたメッセージのうち、ランク「３」に対応するメッセージではなく、ランク「１」に対応するメッセージ「様子を見て下さい」を出力する。
【００６４】
また、例えば、図１４に示す調整テーブル１４５ａは、「気温」が「３０度」である場合、判定結果に基づくメッセージに加えて、メッセージＩＤ「Ｃ００１」のメッセージをさらに出力することを示す。この場合において、変形例における判定機能１５３ａは、例えば、患者の体温が「３７．８度」である場合、図１３に示す判定テーブル１４３ａにおいて、体温「３７〜３８度」に対応するランク「３」に対応するメッセージに加えて、メッセージＩＤ「Ｃ００１」に対応するメッセージ「体を冷やし、水分を十分にとってください」を出力する。
【００６５】
このように、本変形例における判定テーブル１４３ａを用いることにより、判定装置１０ａは、患者の健康状態の原因に応じて、適切な指示を判定できる。
【００６６】
なお、図１４に示すように、調整テーブル１４５ａは、判定ランクを特定するための基準や基準値を調整するような情報に加えて、出力されるメッセージを調整するための情報を記憶してもよい。また、調整機能１５２は、図１４に示すような調整条件に加えて、例えば患者の来院状況や来院時の健康状態等に応じて、出力されるメッセージを変更してもよい。例えば、調整機能１５２は、「すぐ病院に来てください」といった緊急性の高いメッセージの出力を受けた患者が長期にわたり病院に来ない場合、「前回の来院から●ヶ月が経過しました」といったメッセージをさらに出力するように、出力されるメッセージを調整してもよい。また、例えば、調整機能１５２は、「様子を見てください」といった緊急性の低いメッセージの出力を受けた患者が頻繁に病院に来るような場合や、来院時の健康状態に問題がないことが多い場合、逆に「現段階では来院の必要はありません」といったメッセージをさらに出力するように、出力されるメッセージを調整してもよい。
【００６７】
上述した各実施形態の説明で用いた「プロセッサ」という文言は、例えば、ＣＰＵ（Central  Processing  Unit）、ＧＰＵ（Graphics  Processing  Unit）、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  Gate  Array：ＦＰＧＡ））等の回路を意味する。ここで、メモリにプログラムを保存する代わりに、プロセッサの回路内にプログラムを直接組み込むように構成しても構わない。この場合には、プロセッサは回路内に組み込まれたプログラムを読み出し実行することで機能を実現する。また、本実施形態の各プロセッサは、プロセッサごとに単一の回路として構成される場合に限らず、複数の独立した回路を組み合わせて一つのプロセッサとして構成され、その機能を実現するようにしてもよい。
【００６８】
ここで、プロセッサによって実行されるプログラムは、ＲＯＭ（Read  Only  Memory）や記憶部等に予め組み込まれて提供される。なお、このプログラムは、これらの装置にインストール可能な形式又は実行可能な形式のファイルでＣＤ（Compact  Disk）−ＲＯＭ、ＦＤ（Flexible  Disk）、ＣＤ−Ｒ（Recordable）、ＤＶＤ（Digital  Versatile  Disk）等のコンピュータで読み取り可能な記憶媒体に記録されて提供されてもよい。また、このプログラムは、インターネット等のネットワークに接続されたコンピュータ上に格納され、ネットワーク経由でダウンロードされることにより提供又は配布されてもよい。例えば、このプログラムは、各機能部を含むモジュールで構成される。実際のハードウェアとしては、ＣＰＵが、ＲＯＭ等の記憶媒体からプログラムを読み出して実行することにより、各モジュールが主記憶装置上にロードされて、主記憶装置上に生成される。
【００６９】
また、各実施形態における接遇ガイドシステムの構成は上記したものに限られず、例えば、医師端末３０が処理回路１５の一部又は全部の機能を実装してもよく、また記憶回路１４が記憶する内容の一部又は全部を記憶してもよい。例えば、医師端末３０が処理回路１５の全部の機能を実装し、記憶回路１４が記憶する内容の全部を記憶することにより、スタンドアロンのコンピュータ上において判定装置１０と同様の構成を実装することができる。また、判定装置１０の処理回路１５が有する各機能がクラウド上に実装され、記憶回路１４が記憶する内容がクラウド上に記憶されてもよい。
【００７０】
以上説明した少なくとも一つの実施形態によれば、患者の状態を適切に判定することができる。
【００７１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７２】
１  判定システム
１０  判定装置
２０  患者端末
３０  医師端末
１１  通信Ｉ／Ｆ
１２  入力Ｉ／Ｆ
１３  ディスプレイ
１４  記憶回路
１４１  患者情報
１４２  基準値テーブル
１４３  判定テーブル
１４４  メッセージテーブル
１４５  調整テーブル
１５  処理回路
１５１  取得機能
１５２  調整機能
１５３  判定機能
１５４  出力機能
１５５  受付機能
【図１】
2020178880.tif 000003
【図２】
2020178880.tif 000004
【図３】
2020178880.tif 000005
【図４】
2020178880.tif 000006
【図５】
2020178880.tif 000007
【図６】
2020178880.tif 000008
【図７】
2020178880.tif 000009
【図８】
2020178880.tif 000010
【図９】
2020178880.tif 000011
【図１０】
2020178880.tif 000012
【図１１】
2020178880.tif 000013
【図１２】
2020178880.tif 000014
【図１３】
2020178880.tif 000015
【図１４】
2020178880.tif 000016